(57)【特許請求の範囲】
【請求項１】
開孔爪（１９）によって土面に開口し乍ら苗（１６）を植付けると共に、開孔爪（１９）の植付位置のマルチフィルム（９）をマルチカッタ（６６）によって切開する移植機において、本機フレーム（２）に固定した植付ケース（３１）の両側に、左右ロータリケース（３２）を回転自在に軸支し、該左右ロータリケース（３２）に左右クランクアーム（３３）を介して左右植付アーム（３４）を連結し、該左右植付アーム（３４）に左右爪フレーム（３５）を介して前後爪軸（３６）（３７）を取付け、エンジン（１）動力によってロータリケース（３２）を一方向に回転させ、左右ガイドレール（４０）の案内によって植付爪（１９）を昇降させ、かつ前後爪体（３８）（３９）を開閉し、該植付爪（１９）の下降によって畝（１０）に移植孔（２０）を形成し、該爪体（３８）（３９）の開口動作によって内部の苗（１６）を移植孔（２０）に放出し、苗（１６）を植付けるべく構成し、前記ロータリケース（３２）にカットローラ（５５）を回転自在に取付け、前記植付ケース（３１）に軸（５７）を介してカッタアーム（５８）を回転自在に軸支し、該カッタアーム（５８）にカム（５９）を一体固定し、前記カットローラ（５５）の回転位置にカム（５９）をバネ（６０）によって復帰支持し、ロータリケース（３２）の１回転でローラ（５５）をカム（５９）に当接させ、カッタアーム（５８）を揺動し、該カッタアーム（５８）に長孔（６１）及びピン（６２）を介して、カッタブラケット（６３）を連結し、該カッタブラケット（６３）に前後方向に長尺で偏平な板形状のマルチカッタ（６６）を付設し、前高後低形の昇降ガイド（６７）をロータリケース（３２）に固定し、前記カッタブラケット（６３）のガイドローラ（６８）を、前記昇降ガイド（６７）に摺動自在に嵌着させ、前記カッタアーム（５８）の揺動によって、該マルチカッタ（６６）を前方上方乃至後方下方に略直線形に昇降させ、前記開孔爪（１９）が着地直前のマルチフィルム（９）に、該マルチカッタ（６６）によって前後方向に略直線形に切開することを特徴とする移植機。
【発明の詳細な説明】
【０００１】
【発明の属する技術分野】
本発明は、例えば整形器によって形成した畝にたばこ苗などを植付ける移植機に関する。
【０００２】
【発明が解決しようとする課題】
従来、苗載台のトレイから取出爪によってたばこ苗を取出し、開孔爪によって畝上面に移植孔を形成してたばこ苗を植付ける技術があるが、畝上面にマルチフィルムを被せている場合、マルチカッタによってマルチフィルムを切除する場合において、マルチフィルムの除去開口が小さいと、苗移植時に移植孔が形崩れし易いと共に、マルチフィルムの除去開口が大きいと、防風または保温など移植苗の活着向上などを容易に図り得ない等の問題がある。
【０００３】
【課題を解決するための手段】
然るに、本発明は、上記の課題を解決する為に、次の如く構成したものである。
【０００４】
開孔爪（１９）によって土面に開口し乍ら苗（１６）を植付けると共に、開孔爪（１９）の植付位置のマルチフィルム（９）をマルチカッタ（６６）によって切開する移植機において、本機フレーム（２）に固定した植付ケース（３１）の両側に、左右ロータリケース（３２）を回転自在に軸支し、該左右ロータリケース（３２）に左右クランクアーム（３３）を介して左右植付アーム（３４）を連結し、該左右植付アーム（３４）に左右爪フレーム（３５）を介して前後爪軸（３６）（３７）を取付け、エンジン（１）動力によってロータリケース（３２）を一方向に回転させ、左右ガイドレール（４０）の案内によって植付爪（１９）を昇降させ、かつ前後爪体（３８）（３９）を開閉し、該植付爪（１９）の下降によって畝（１０）に移植孔（２０）を形成し、該爪体（３８）（３９）の開口動作によって内部の苗（１６）を移植孔（２０）に放出し、苗（１６）を植付けるべく構成し、前記ロータリケース（３２）にカットローラ（５５）を回転自在に取付け、前記植付ケース（３１）に軸（５７）を介してカッタアーム（５８）を回転自在に軸支し、該カッタアーム（５８）にカム（５９）を一体固定し、前記カットローラ（５５）の回転位置にカム（５９）をバネ（６０）によって復帰支持し、ロータリケース（３２）の１回転でローラ（５５）をカム（５９）に当接させ、カッタアーム（５８）を揺動し、該カッタアーム（５８）に長孔（６１）及びピン（６２）を介して、カッタブラケット（６３）を連結し、該カッタブラケット（６３）に前後方向に長尺で偏平な板形状のマルチカッタ（６６）を付設し、前高後低形の昇降ガイド（６７）をロータリケース（３２）に固定し、前記カッタブラケット（６３）のガイドローラ（６８）を、前記昇降ガイド（６７）に摺動自在に嵌着させ、前記カッタアーム（５８）の揺動によって、該マルチカッタ（６６）を前方上方乃至後方下方に略直線形に昇降させ、前記開孔爪（１９）が着地直前のマルチフィルム（９）に、該マルチカッタ（６６）によって前後方向に略直線形に切開するものである。
【０００５】
【発明の実施の形態】
以下、本発明の実施例を図面に基づいて詳述する。
【０００６】
図１は全体の側面図、図２は同平面図であり、エンジン（１）を搭載する本機フレーム（２）にミッションケース（３）を固定させ、ミッションケース（３）両側に左右車軸ケース（４）を揺動自在に取付け、左右車軸ケース（４）に左右後輪（５）を軸支させると共に、本機フレーム（２）前部に左右車軸フレーム（６）を揺動自在に取付け、左右車軸フレーム（６）に左右前輪（７）を軸支させ、エンジン（１）によって左右後輪（５）を駆動してマルチフィルム（８）を被せた畝（９）を跨いで走行させる。また、エンジン（１）によって駆動する油圧ポンプユニット（１０）と、全ての前後輪（５）（７）を同一方向と同時に昇降させて車高を変更する油圧昇降シリンダ（１１）と、左右の前後輪（５）（７）を相反方向に昇降させて機体の左右傾きを変更する油圧ローリングシリンダ（１２）を、本機フレーム（２）に設けると共に、前後の車軸ケース（４）と車軸フレーム（６）を昇降ロッド（１３）によって連結させ、油圧力によって本機フレーム（２）を昇降させて車高を変更し、また本機フレーム（２）を左右に傾斜させる。
【０００７】
さらに、本機フレーム（２）に苗台フレーム（１４）を連設させ、苗台フレーム（１４）に苗載台（１５）を装設させ、たばこ苗（１６）を入れたトレイ（１７）を苗載台（１５）に載せると共に、縦送り及び横送り移動させる苗載台（１５）のトレイ（１７）から取出爪（１８）によって１株分の苗（１６）を取出し、取出爪（１８）の苗（１６）を下方の開孔爪（１９）に供給し、開孔爪（１９）によって下方の畝（１０）上面に移植孔（２０）を形成して苗（１６）を植付ける。前記苗（１６）丈よりも移植孔（２０）を深く形成する。
【０００８】
また、苗台フレーム（１４）後部に操向ハンドル（２１）を連設させ、走行変速レバー（２２）、サイドクラッチレバー（２３）、昇降レバー（２４）、ローリングレバー（２５）、アクセルレバー（２６）、植付クラッチレバー（２７）などを、操向ハンドル（２１）に取付け、歩行作業を行うと共に、エンジン（２）上面側を覆うボンネット（２８）周辺に複数の予備苗台（２９）と空トレイ台（３０）を設け、予備苗台（２９）のトレイ（１７）を苗載台（１５）に補給し、苗載台（１５）から回収する空トレイ（１７）を空トレイ台（３０）に載せる。
【０００９】
さらに、図３、図４に示す如く、前記ミッションケース（３）に植付ケース（３１）を連結させ、植付ケース（３１）両側に左右ロータリケース（３２）を回転自在に軸支させ、左右ロータリケース（３２）に左右クランクアーム（３３）を介して左右植付アーム（３４）を連結させ、左右植付アーム（３４）に左右爪フレーム（３５）を介して前後爪軸（３６）（３７）を取付け、開孔爪（１９）を形成する前後爪体（３８）（３９）を前後爪軸（３６）（３７）に固定させ、エンジン（１）動力によってロータリケース（３２）を一方向に回転させ、左右ガイドレール（４０）の案内によって植付爪（１９）を昇降させ、かつ前後爪体（３８）（３９）を開閉させるもので、植付爪（１９）の下降によって畝（１０）に移植孔（２０）を形成し、爪体（３８）（３９）の開口動作によって内部の苗（１６）を移植孔（２０）に放出させ、苗（１６）を畝（１０）に略等間隔に植付ける。
【００１０】
さらに、図５、図６、図７に示す如く、前後爪体（３８）（３９）の上面に前後苗投入ガイド（４１）（４２）をボルト（４３）によって着脱自在に固定させると共に、前後爪体（３８）（３９）の内部に前後苗直立ガイド（４４）（４５）を固定させ、苗（１６）を取出爪（１８）から投入ガイド（４１）（４２）を介して直立ガイド（４４）（４５）間に投入させ、開孔爪（１９）内部に苗（１６）を保持させる。また、図６のように、フランジ（４６）を下端側に一体形成した前後間座（４７）（４８）を投入ガイド（４１）（４２）と爪体（３８）（３９）の間に設けた場合、図５の移植孔（２０）と略同一の標準深さで開孔縁に段部（４９）が形成された移植孔（２０）が開設され、フランジ（４６）によって移植孔（２０）開孔縁が押さえられて段部（４９）を形成することにより、移植孔（２０）開孔縁の土崩れが防げる。また、図７のように、フランジ（５０）（５１）を上端側に一体形成した間座（５２）（５３）を投入ガイド（４１）（４２）と爪体（３８）（３９）の間に設けた場合、図５及び図６よりも移植孔（２０）の深さが間座（５２）（５３）の上下幅だけ深く形成されるもので、図６及び図７の間座（４７）（４８）（５２）（５３）を着脱することにより、異なった大きさ形状の移植孔（２０）を同一構成部品の開孔爪（１９）によって形成でき、爪（１９）全体の交換に比べて部品が安価になり、また苗の大きさ並びに土質などに対処して開孔爪（１９）が形成する移植孔（２０）の形状及び大きさを容易に変更できるように構成している。
【００１１】
さらに、図８、図９に示す如く、前記ロータリケース（３２）に固定させる板体（５４）にカットローラ（５５）を回転自在に取付けると共に、前記植付ケース（３１）に支点板（５６）を固定させ、支点板（５６）に軸（５７）を介してカッタアーム（５８）を回転自在に軸支させ、カッタアーム（５８）にカム（５９）を一体固定させ、カットローラ（５５）の回転位置にカム（５９）をバネ（６０）によって復帰支持させ、ロータリケース（３２）の１回転でローラ（５５）をカム（５９）に当接させてカッタアーム（５８）を揺動させる。また、長孔（６１）及びピン（６２）を介してカッタアーム（５８）にカッタブラケット（６３）を連結させ、ボルト（６４）及び長孔（６５）を介してブラケット（６３）にマルチカッタ（６６）を上下取付高さ調節自在に固定させ、前後方向に長尺な偏平な板形状の前記カッタ（６６）によってマルチフィルム（９）を前後方向に略直線形に切開すると共に、前高後低形の昇降ガイド（６７）を支点板（５６）に固定させ、ブラケット（６３）の２個のガイドローラ（６８）をガイド（６７）に摺動自在に嵌着させ、カッタアーム（５８）の揺動によって前方上方乃至後方下方にカッタ（６６）を略直線形に昇降させ、開孔爪（１９）が着地直前のフィルム（９）にカッタ（６６）を下降させて切開させる。また、カッタ（６６）が下降してフィルム（９）を切開しているとき、走行移動量だけフィルム（９）の前後切開長さが長くなり、開孔爪（１９）の半径と略同一前後長の直線形切開をカッタ（６６）によってフィルム（９）に形成する。
【００１２】
上記から明らかなように、開孔爪（１９）によって土面に開口し乍ら苗（１６）を植付けると共に、開孔爪（１９）の植付位置のマルチフィルム（９）をマルチカッタ（６６）によって切開する移植機において、取出爪（１８）から苗（１６）を受取って畝（１０）に突入する間の開孔爪（１９）の植付け工程内でマルチカッタ（６６）を作動させ、カッタ（６６）のフィルム（９）切開によってフィルム（９）開口を大きく形成し、開孔爪（１９）によって形成する移植孔（２０）の形崩れを防止すると共に、移植後の移植孔（２０）をマルチフィルム（９）によって閉塞させ、防風または保温など移植苗（１６）の活着向上などを図るもので、開孔爪（１９）を駆動する回転体であるロータリケース（３２）にマルチカッタ（６６）を連結させ、開孔爪（１９）の着地部分に着地直前にマルチカッタ（６６）を動作させてフィルム（９）を切開し、カッタ（６６）取付け調整などの簡略化を行うと共に、開孔爪（１９）の前方に昇降自在に取付けるマルチカッタ（６６）を斜前方から斜後方に下降させてマルチフィルム（９）を切開させ、前後方向に長尺なカッタ（６６）を開孔爪（１９）前側に接近させて設置し、マルチフィルム（９）の前後方向切開幅を大きく形成し、かつ開孔爪（１９）の着地とカッタ（６６）のフィルム（９）切開との時間差を縮少し、フィルム（９）切開長さの確保並びにフィルム（９）切開位置と開孔爪（１９）着地位置との一致などを図るように構成している。
【００１３】
なお、図４、図８に示す如く、植深フレーム（６９）を昇降させてミッションケース（３）の植付駆動軸（７０）回りに植付ケース（３１）を昇降させ、開孔爪（１９）の高さを変更して植深調節するとき、ボルト（６４）を緩めてカッタ（６６）を長孔（６５）の案内によって取付高さ調節し、苗（１６）の植深を変更しても、カッタ（６６）の土中突入量を略一定に保つ。
【００１４】
【発明の効果】
以上実施例から明らかなように本発明は、次のような効果を奏するものである。
開孔爪（１９）によって土面に開口し乍ら苗（１６）を植付けると共に、開孔爪（１９）の植付位置のマルチフィルム（９）をマルチカッタ（６６）によって切開する移植機において、本機フレーム（２）に固定した植付ケース（３１）の両側に、左右ロータリケース（３２）を回転自在に軸支し、該左右ロータリケース（３２）に左右クランクアーム（３３）を介して左右植付アーム（３４）を連結し、該左右植付アーム（３４）に左右爪フレーム（３５）を介して前後爪軸（３６）（３７）を取付け、エンジン（１）動力によってロータリケース（３２）を一方向に回転させ、左右ガイドレール（４０）の案内によって植付爪（１９）を昇降させ、かつ前後爪体（３８）（３９）を開閉し、該植付爪（１９）の下降によって畝（１０）に移植孔（２０）を形成し、該爪体（３８）（３９）の開口動作によって内部の苗（１６）を移植孔（２０）に放出し、苗（１６）を植付けるべく構成し、前記ロータリケース（３２）にカットローラ（５５）を回転自在に取付け、前記植付ケース（３１）に軸（５７）を介してカッタアーム（５８）を回転自在に軸支し、該カッタアーム（５８）にカム（５９）を一体固定し、前記カットローラ（５５）の回転位置にカム（５９）をバネ（６０）によって復帰支持し、ロータリケース（３２）の１回転でローラ（５５）をカム（５９）に当接させ、カッタアーム（５８）を揺動し、該カッタアーム（５８）に長孔（６１）及びピン（６２）を介して、カッタブラケット（６３）を連結し、該カッタブラケット（６３）に前後方向に長尺で偏平な板形状のマルチカッタ（６６）を付設し、前高後低形の昇降ガイド（６７）をロータリケース（３２）に固定し、前記カッタブラケット（６３）のガイドローラ（６８）を、前記昇降ガイド（６７）に摺動自在に嵌着させ、前記カッタアーム（５８）の揺動によって、該マルチカッタ（６６）を前方上方乃至後方下方に略直線形に昇降させ、前記開孔爪（１９）が着地直前のマルチフィルム（９）に、該マルチカッタ（６６）によって前後方向に略直線形に切開するので、カッタ（６６）のフィルム（９）切開によってフィルム（９）開口を大きく形成し、開孔爪（１９）によって形成する移植孔（２０）の形崩れを防止できると共に、移植後の移植孔（２０）をマルチフィルム（９）によって閉塞させ、防風または保温など移植苗（１６）の活着向上などを容易に図ることができるものである。
【００１５】
また、開孔爪（１９）を駆動する回転体（３２）にマルチカッタ（６６）を連結させたもので、開孔爪（１９）の着地部分に着地直前にマルチカッタ（６６）を動作させてフィルム（９）を切開でき、カッタ（６６）取付け調整などの簡略化を容易に行うことができるものである。
【００１６】
また、開孔爪（１９）の前方に昇降自在に取付けるマルチカッタ（６６）を斜前方から斜後方に下降させてマルチフィルム（９）を切開させるように構成したもので、前後方向に長尺なカッタ（６６）を開孔爪（１９）前側に容易に設置でき、マルチフィルム（９）の前後方向切開幅を大きく形成でき、かつ開孔爪（１９）の着地とカッタ（６６）のフィルム（９）切開との時間差を容易に縮少でき、フィルム（９）切開長さの確保並びにフィルム（９）切開位置と開孔爪（１９）着地位置との一致などを容易に図ることができるものである。
【図面の簡単な説明】
【図１】  全体の側面図。
【図２】  同平面図。
【図３】  植付機構の平面図。
【図４】  同側面図。
【図５】  開孔爪の側面図。
【図６】  同側面図。
【図７】  同側面図。
【図８】  マルチカッタ部の側面図。
【図９】  同拡大側面図。
【符号の説明】
（９）マルチフィルム
（１６）苗
（１９）開孔爪
（３２）ロータリケース（回転体）
（６６）マルチカッタ
【図１】
0004033316.tif 000002
【図２】
0004033316.tif 000003
【図３】
0004033316.tif 000004
【図４】
0004033316.tif 000005
【図５】
0004033316.tif 000006
【図６】
0004033316.tif 000007
【図７】
0004033316.tif 000008
【図８】
0004033316.tif 000009
【図９】
0004033316.tif 000010